(57)【要約】【課題】携帯型撮影手段によって撮影した画像から、証明写真の要求仕様を充足する写真をプリントする。【解決手段】デジタルカメラ付き携帯電話機のディスプレイ１６に、実質的に水平なライン１１２、１１４を表示させる。利用者はボタン操作によりライン１１２、１１４を自己の頭部１１１の頭の先および顎の先端にそれぞれ一致させた後、撮像動作を実行する。携帯電話機の記録メディア８４は、撮影された画像８２と、２つのライン１１２、１１４の高さ座標とを、一対一に関連させて記録する。撮影後、利用者は街頭の無人店舗１３０へ赴き、記録メディア８４または赤外線インタフェース９８によって画像ファイルとライン１１２、１１４の高さ座標とをデータ送信する。無人店舗１３０のプリンタ１７０は、ライン１１２、１１４の高さ座標を基に、証明写真の要求仕様に適合する写真をプリントする。【選択図】        図１
2005031235.tif 000002
【特許請求の範囲】
【請求項１】
デジタルカメラおよび該デジタルカメラで撮影される画像を表示するディスプレイを有する携帯型撮影手段と、該デジタルカメラで撮影された画像をプリントするプリンタとで構成される写真撮影装置において、
前記携帯型撮影手段は、前記ディスプレイに表示された撮影される画像の１つ以上の領域を仮表示する領域表示手段と、該領域表示手段が仮表示する領域を変更する領域変更手段と、撮影された画像および前記仮表示された領域を対応させて記録する記録手段とを有し、
前記プリンタは前記記録された領域を印刷媒体の所定の範囲にプリントすることを特徴とする写真撮影装置。
【請求項２】
請求項１に記載の装置において、
前記領域表示手段は、２本以上の実質的に水平なラインを含み、
前記領域変更手段は、該ラインを実質的に上下方向に移動させる機能を有し、
前記記録手段は、該ラインによって指定された２つ以上の高さ座標を記録し、
前記プリンタは前記撮影された画像のうち前記２つ以上の高さ座標のうち任意の２つの高さ座標の間の領域を印刷媒体の所定の範囲にプリントすることを特徴とする写真撮影装置。
【請求項３】
請求項１に記載の装置において、
前記領域表示手段は閉曲線を含み、
前記領域変更手段は、該閉曲線を変形する機能と、該閉曲線を実質的に上下左右方向に移動させる機能とを有し、
前記記録手段は、該閉曲線の形状および位置を記録し、
前記プリンタは前記撮影された画像のうち前記閉曲線によって囲まれる領域を印刷媒体の所定の範囲にプリントすることを特徴とする写真撮影装置。
【請求項４】
請求項３に記載の装置において、前記閉曲線は実質的に長方形、円形または楕円形であることを特徴とする写真撮影装置。
【請求項５】
請求項１ないし４のいずれかに記載の装置において、前記ディスプレイは、前記携帯型撮影手段を把持する人物の顔を前記デジタルカメラで撮影する時に該人物が該人物自身の顔画像を確認できる方向に画像を表示することを特徴とする写真撮影装置。
【請求項６】
請求項１ないし５のいずれかに記載の装置において、前記ディスプレイは、前記携帯型撮影手段を把持する人物が他の人物の顔を前記デジタルカメラで撮影する時に該把持する人物が該他の人物の顔画像を確認できる方向に画像を表示することを特徴とする写真撮影装置。
【請求項７】
請求項１ないし６のいずれかに記載の装置において、前記記録手段は、前記携帯型撮影手段に着脱可能な記録メディアであり、前記撮影された画像および前記記録された領域は、該記録メディアを介して前記プリンタに渡されることを特徴とする写真撮影装置。
【請求項８】
請求項１ないし７のいずれかに記載の装置において、前記携帯型撮影手段およびプリンタは、それぞれ無線通信手段を有し、前記撮影された画像および前記記録された領域は、該無線通信手段による無線通信方式によって前記プリンタに渡されることを特徴とする写真撮影装置。
【請求項９】
請求項８に記載の装置において、前記無線通信方式は、赤外線方式であることを特徴とする写真撮影装置。
【請求項１０】
請求項１ないし９のいずれかに記載の装置において、前記プリンタは、公共の場所に位置する無人の拠点に設置されていることを特徴とする写真撮影装置。
【発明の詳細な説明】
【０００１】
【発明の属する技術分野】
本発明は、デジタルカメラ付き携帯電話機などの携帯型撮影手段で撮影された画像を主として証明写真としてプリントする写真撮影装置に関するものである。
【０００２】
【従来の技術】
履歴書、運転免許証またはパスポート用の写真などの証明写真は、人物の特定のために用いられる。そのため、被写体である人物の頭部が写真に正しい位置で含まれている必要がある。かかる要求を満たすため、街頭に設置されている無人の写真撮影装置は、従来、利用者自身による目線合わせ作業を必要としていた。具体的には、撮影前に、写真撮影装置に備え付けられている椅子座面の高さを利用者自身が調節し、カメラの高さに利用者の目線を合わせていた。
【０００３】
これに対し、カメラ側を調節する技術も提案されている。例えば特許文献１では、被写体の座高などのデータを測定し、これに基づいてカメラ位置を上下させる。特許文献２では、被写体の存在を検知して、絞り調節を行う。
【０００４】
さらに、特許文献３に記載の写真撮影装置では、撮影によって得られたデジタル画像から頭部検出プログラムによって利用者の頭部を検出し、写真プリント前に適切に変倍する。これにより、利用者による目線合わせ作業も、カメラ側を調節する技術も必要とせず、厳格な要求仕様を充足する証明写真が得られる。
【０００５】
【特許文献１】
特開平１０−５５０１８号公報
【特許文献２】
特開平６−２３３１７９号公報
【特許文献３】
特開２００１−３１１９９６号公報。
【０００６】
【発明が解決しようとする課題】
最近はデジタルカメラやデジタルカメラ付き携帯電話機が普及し、写真撮影装置のある場所まで移動しなくても、自己や他者の写真撮影を手軽に行なうことは可能である。しかし利用者が所有するデジタルカメラで撮影した画像をプリントしても、元来証明写真用に撮影を行なっているわけではないため、証明写真の厳格な要求仕様を充足する写真を得ることはできない。
【０００７】
本発明はこのような従来技術の欠点を解消し、カメラ付き携帯電話機などの携帯型撮影手段を用いて、証明写真の厳格な要求仕様を充足する写真を得ることができる写真撮影装置を提供することを目的とする。
【０００８】
【課題を解決するための手段】
本発明は上述の課題を解決するために、デジタルカメラおよびそのデジタルカメラで撮影される画像を表示するディスプレイを有する携帯型撮影手段と、そのデジタルカメラで撮影された画像をプリントするプリンタとで構成される写真撮影装置において、携帯型撮影手段は、ディスプレイに表示された撮影される画像の１つ以上の領域を仮表示する領域表示手段と、領域表示手段が仮表示する領域を変更する領域変更手段と、撮影された画像および仮表示された領域を対応させて記録する記録手段とを有し、プリンタは記録された領域を印刷媒体の所定の範囲にプリントする。
【０００９】
本発明によれば、携帯電話機に付属のデジタルカメラなど、携帯型撮影手段によって撮影した画像から、証明写真の要求仕様を充足する写真をプリントすることが可能である。
【００１０】
【発明の実施の形態】
次に添付図面を参照して本発明による写真撮影装置の実施例を詳細に説明する。図中、本発明に直接関係のない要素は省略し、同様の要素は同一の参照符号によって表示する。また信号はそれが現れる通信線の符号によって表示する。
【００１１】
図２は本発明による写真撮影装置の実施例を構成する携帯電話機の第１の例を示す外観図である。携帯電話機１０は、その筐体の上部に回転式のデジタルカメラ１２を備えた携帯型撮影手段である。カメラ１２は軸受け機構を利用して、最大３６０度回転可能としてよい。このようにカメラレンズ１４を様々な方向へ向けて撮影可能である。
【００１２】
携帯電話機１０はさらに、デジタルカメラ１２の下部に、デジタルカメラ１２で撮影される画像を表示するディスプレイ１６を有する。ディスプレイ１６は固定式であるが、携帯電話機１０全体を変位させるか、カメラ１２を回転させると、レンズ１４が取り込む被写体は変化し、ディスプレイ１６に表示される画像も変化する。携帯電話機１０を把持する人物が自分自身の顔を撮影する場合には、図２に示すように、デジタルカメラ１２のレンズ１４をディスプレイ１６と実質的に同一の方向に向ければよい。この状態で携帯電話機１０を把持する人物の顔をデジタルカメラ１２で撮影する時には、その人物がその人物自身の顔画像を確認できる方向に画像が表示されることとなる。
【００１３】
図２に示す携帯電話機１０は１個の筐体から成るいわゆる一体型の携帯電話機であり、いわゆる折り畳み型の携帯電話機ではない。しかし折り畳み型の携帯電話機であっても、図２の電話機１０が実現しているように、付属のデジタルカメラのレンズをディスプレイと実質的に同一の方向に向けることができるものであれば、本発明の実施例を構成可能である。
【００１４】
図３は本発明による写真撮影装置の実施例を構成する携帯電話機の第２の例を示す外観図である。携帯電話機２０が図２と異なる点は、折り畳み型であり、折り畳みを可能にするヒンジ部２２にデジタルカメラ２４が設置されていることである。すなわち、ディスプレイ２６の下部にカメラ２４が位置する。図２と同様に、ディスプレイ２６は、デジタルカメラ２４で撮影される画像を表示する。カメラ２４はヒンジ部２２の回転に伴って回転するため、携帯電話機２０が筐体２８、３０が折り畳み動作によってどのような姿勢となっても、デジタルカメラ２４はディスプレイ２６と実質的に同一の方向に向けられる。したがって、図３の場合も、図２と同様に、携帯電話機２０を把持する人物の顔をデジタルカメラ２４で撮影する時には、ディスプレイ２６によって、その人物がその人物自身の顔画像を確認できる方向に画像が表示されることとなる。
【００１５】
図４は図３に示す携帯電話機を図３と異なる状態にした斜視図である。図２と異なる点のみ説明すると、ヒンジ部２２によって筐体３０は約９０度折り畳まれ、さらに筐体３０は回転可動部３２によって約９０度回転し、いわば首を傾げた状態になっている。携帯電話機２０には、前述のカメラ２４に加えて、ヒンジ部２２の軸方向にレンズ３４が向けられたデジタルカメラ３６が設置されている。この状態であれば、ディスプレイ２６はカメラ３６のレンズ３４と実質的に同一の方向に向けられる。このように、本発明の実施例として、折り畳み型携帯電話機２０のヒンジ部２２の軸方向に延びているカメラ３６を採用してもよい。図４の状態とすれば、携帯電話機２０を把持する人物の顔をデジタルカメラ３６で撮影する時に、ディスプレイ２６によって、その人物がその人物自身の顔画像を確認できる方向に画像が表示されるからである。
【００１６】
図５は本発明による写真撮影装置の実施例を構成する携帯電話機の第３の例を示す外観図である。図５は、筐体４２、４４で構成される折り畳み型携帯電話機４０が折り畳まれた状態を示す。正面に見えているのは上部の筐体４２の背面であり、下部筐体４４は上部筐体４２の後ろに殆ど隠れている。上部筐体４２は、図５に示すように、背面に、デジタルカメラ４６と、サブディスプレイ４８とを有する。図２および図３と同様に、サブディスプレイ４８は、デジタルカメラ４６で撮影される画像を表示する。図５の場合も、サブディスプレイ４８はカメラ４６のレンズ５０と実質的に同一の方向に向けられる。このように、携帯電話機４０が完全に折り畳まれた状態であっても、筐体４２の背面にカメラ４６およびサブディスプレイ４８を設置したものであれば、本発明の実施例を構成可能である。携帯電話機４０を把持する人物の顔をデジタルカメラ４６で撮影する時に、ディスプレイ４８によって、その人物がその人物自身の顔画像を確認できる方向に画像が表示されるからである。
【００１７】
図２ないし図５に示したように、本発明の実施例を構成する携帯電話機は、その少なくとも１つの状態において、デジタルカメラと当該デジタルカメラで撮影される画像を表示するディスプレイとが実質的に同一の方向に向けられるものであればよい。この条件を満たす限り、デジタルカメラは携帯電話機のいずれの場所に設置されていてもよい。
【００１８】
ただし本発明は、他の人物の顔を撮影する従来のカメラなどの撮影手段にも、無論、適用可能である。その場合は、従来の撮影手段の多くが既にそうであるように、ディスプレイは、携帯型撮影手段を把持する人物が他の人物の顔をデジタルカメラで撮影する時に、把持する人物が他の人物の顔画像を確認できる方向に画像を表示すればよい。
【００１９】
なお、図２ないし図５に示した実施例は、いずれも携帯電話機であるが、デジタルカメラを装備しているものであれば、携帯情報端末（Ｐｅｒｓｏｎａｌ  Ｄｉｇｉｔａｌ  Ａｓｓｉｓｔａｎｔｓ；  ＰＤＡ）でもよいし、デジタルカメラそのものでも構わない。要するに携帯可能な撮影手段であれば何でもよい。
【００２０】
図６は図２ないし図５に示した携帯電話機１０、２０、４０に共通のブロック図である。図２ないし図５の代表として、図２に対応した参照符号を用いて図６の構成を説明する。まず、携帯電話機１０はデジタルカメラ１２を有する。
【００２１】
図７は図６に示すデジタルカメラの詳細なブロック図である。デジタルカメラ１２は被写界からの光を結象するレンズ１４を有する。光学系６０は自動露出（Ａｕｔｏ  Ｅｘｐｏｓｕｒｅ）を行う絞り機構、自動焦点合わせ（Ａｕｔｏ  Ｆｏｃｕｓ）を行うフォーカス機構およびメカニカルシャッタを含んでよい。固体撮像素子６４は光学系６０から受けた光を光電変換する素子であり、例えば金属酸化物半導体（ＭＯＳ；  Ｍｅｔａｌ  Ｏｘｉｄｅ  Ｓｅｍｉｃｏｎｄｕｃｔｏｒ）型撮像素子、または電荷結合素子（ＣＣＤ；  Ｃｈａｒｇｅ  Ｃｏｕｐｌｅｄ  Ｄｅｖｉｃｅ）としてよい。これらの装置６０、６４は、制御部９０からのカメラ制御信号６６を受信するドライバ６８によって駆動信号６９、７１を与えられ、駆動される。
【００２２】
Ａ／Ｄ（Ａｎａｌｏｇｕｅ  Ｄｉｇｉｔａｌ）コンバータ７０は固体撮像素子６４において光電変換された電気信号７２をデジタル信号７４に変換する。デジタル信号処理部７６は、ホワイトバランス（Ｗｈｉｔｅ  Ｂａｌａｎｃｅ）処理、ガンマ変換等の必要なデジタル信号処理を行う装置である。
【００２３】
ここで本実施例におけるデジタルカメラ１２の各種動作モードについて説明しておく。動作モードにはデフォルトのビデオスルーモード、閲覧モードおよび撮像モードの３種類がある。ビデオスルーモードは、撮影しようとする画像をディスプレイ１６によって検討するモードである。したがって、ビデオスルーモード時は、未だ撮像されない画像信号がカメラ１２から信号線７８を介して表示制御部８０に転送され、これは動画像としてディスプレイ１６に表示される。閲覧モードは、既に撮影され記録メディア８４に保存された画像ファイルをディスプレイ１６に表示して閲覧可能となる。これらビデオスルーモードと閲覧モードとは、利用者の操作によって切替可能である。
【００２４】
一方、撮像モードは撮像動作を行なう際のモードである。撮像モード時には、デジタル信号処理部７６で処理された画像信号は、静止画像信号８２として、後述の記録メディア８４に送られ、画像ファイルとして保存される。
【００２５】
記録メディア８４は、携帯電話機１０に着脱可能なものであり、例えばＳＤメモリカード（ＳＤ（Ｓｅｃｕｒｅ  Ｄｉｇｉｔａｌ）は株式会社東芝、松下電器産業株式会社、米国Ｓａｎ  Ｄｉｓｋ社の登録商標）、メモリースティック（ソニー株式会社の登録商標）、コンパクトフラッシュ（米国Ｓａｎ  Ｄｉｓｋ社の登録商標）、マイクロドライブ（米国ＩＢＭ  Ｃｏｒｐｏｒａｔｉｏｎの登録商標）、スマートメディア（株式会社東芝の登録商標）、マルチメディアカード（独国Ｉｎｆｉｎｅｏｎ  Ｔｅｃｈｎｏｌｏｇｉｅｓ  ＡＧの登録商標）としてよい。
【００２６】
なお、記録メディア８４に保存された画像ファイルも、閲覧モード時には信号線８６を通じて制御部９０へ送られ、さらに静止画像信号８８として表示制御部８０に送られ、ディスプレイ１６に表示されて閲覧可能となる。表示制御部８０はビデオスルー信号７８または静止画像信号８８を受信してディスプレイ１６に表示させる装置である。
【００２７】
制御部９０は操作部９２から押しボタン操作によって発信される操作信号９４に基づき、携帯電話機１０内の各要素を制御する装置である。制御部９０はデジタルカメラ１２および記録メディア８４にそれぞれ制御信号６６、９６を与え、カメラ１２のドライバ６８を駆動し、記録メディア８４における画像ファイル保存・更新を行なう。
【００２８】
赤外線インタフェース９８は、記録メディア８４から制御部９０によって取り出された画像ファイルを信号線１００を通じて受信し、赤外線を利用した無線通信によって相手方の赤外線インタフェース１６９に送信する無線通信手段である。赤外線方式では、発光ダイオードや半導体レーザによって周波数３×１０１４Ｈｚの赤外線を使ってデータ伝送をする方式である。送信側と受信側との間に障害物があると通信不能になるため、送信側である携帯電話機１０の赤外線インタフェース９８を受信側である後述の無人店舗１３０の赤外線インタフェース１６９にできるだけ近づけてデータ伝送を行なうのが望ましい。
【００２９】
本実施例では無線方式として上述の赤外線を用いているが、赤外線以外の無線方式としては、無線タグ、微弱無線、特定小電力無線、Ｂｌｕｅ  Ｔｏｏｔｈ（Ｔｈｅ  Ｂｌｕｅｔｏｏｔｈ  ＳＩＧ，  Ｉｎｃ．の登録商標）、ＺｉｇＢｅｅ（ＺｉｇＢｅｅ  Ａｌｌｉａｎｃｅの登録商標）を利用してもよい。あるいは、携帯電話機１０を後述の無人店舗１３０に付属の１６・１８芯ケーブルに接続する有線方式としてもよい。有線方式としては、こうしたケーブルの他、ＵＳＢ（Ｕｎｉｖｅｒｓａｌ  Ｓｅｒｉａｌ  Ｂｕｓ）などの規格を用いてもよい。
【００３０】
図８は図６に示す操作部９２の機能ブロック図である。操作部９２には各種の押しボタンが含まれている。電話機１０に既存のボタンに図８に示す押しボタンの全部または一部を割り当てて既存の機能と兼用させてもよいし、図８に示す押しボタンはすべて電話機１０に新規に設けてもよい。
【００３１】
図８に示す押しボタンを押すことによって発信される各種操作信号９４を、以下、説明する。モード切替ボタン１０２は、デジタルカメラ１２のビデオスルーモードと閲覧モードとを切り替えるスイッチである。ビデオスルーモード時は、撮像されない画像信号がカメラ１２から信号線７８を介して表示制御部８０に転送され、これは動画像としてディスプレイ１６に表示される。一方、閲覧モード時には、既に撮像され記録メディア８４に記録された画像ファイルが制御部９０によって取り出され、静止画像信号８８として表示制御部８０に送られ、ディスプレイ１６に静止画として表示される。すなわち既に撮像した画像を閲覧するモードである。
【００３２】
ライン表示／ＯＫボタン１０３は、ビデオスルーモード時にこれを押すことにより、ディスプレイ１６に所定のラインを表示させるボタンである。言い換えれば、ライン表示／ＯＫボタン１０３は、これから証明写真を撮影することを宣言するために用いられるボタンである。ライン表示／ＯＫボタン１０３が押されると、制御部９０にライン表示信号９４が発信され、制御部９０はこれに基づいて表示制御部８０に、以下に説明する内容を表示させる。
【００３３】
図１はビデオスルーモード時にライン表示／ＯＫボタン１０３を押したときにディスプレイ１６に表示される内容を示す図である。表示される内容は、従前から表示されていた撮影される画像１１０と、ボタン１０３を押して初めて表示されるライン１１２、１１４とである。図１では画像１１０には、被写体である人物の頭部１１１および胴部１１３が含まれている。ディスプレイ１６に表示された２本の実質的に水平なライン１１２、１１４は、撮影される画像１１０のうち、１つ以上の領域を仮表示する領域表示手段として機能する。ここでいう「領域」とは、ライン１１２、１１４によって挟まれた領域１１６を意味する。
【００３４】
また、図１に示すように、ディスプレイの上下端の領域に案内メッセージ１１８、１２０を表示してもよい。操作者はこれらの案内メッセージ１１８「頭の先と顎の先端にラインが合っていますか」に従って、ライン１１２、１１４が頭部１１１の頭の先と顎の先端の高さに一致しているかどうか、確認する。そして案内メッセージ１２０「ラインに合っていればシャッタを押し合っていなければラインを調節して下さい」に従い、ラインに合っている場合はシャッタレリーズボタン１０４を押し、後述の撮像動作を実行する。
【００３５】
ラインに合っていない場合は、操作者はライン上下移動ボタン１０６またはライン間隔調節ボタン１０８を押してラインを調節する。ライン上下移動ボタン１０６は、これを押し続けることにより、ライン１１２、１１４が相互に対する間隔を保ったまま上方向または下方向に連続して移動させるボタンである。例えばライン１１２、１１４が上方向に移動してライン１１２がディスプレイ１６の上端に達してもボタン１０６を押し続けると、ライン１１２、１１４は折り返して下方向に移動を開始する。そしてライン１１４がディスプレイ１６の下端に達してもボタン１０６を押し続けると、同様に、ライン１１２、１１４は折り返して上方向に移動を開始する。このようにライン１１２、１１４を任意の高さに移動させることができ、頭部１１１のある高さに調節することができる。
【００３６】
ライン間隔調節ボタン１０８は、これを押し続けることにより、ライン１１２、１１４の間隔を広狭変更するボタンである。ボタン１０８を押し続けるとライン１１２、１１４は互いに近づいてその間隔を狭め、やがて同じ高さになる。それでもボタン１０８を押し続けると、ライン１１２、１１４は今度は互いに離れてその間隔を広げる。ライン１１２、１１４のいずれか一方が先にディスプレイ１６の上端または下端に到達してもボタン１０８を押し続けると、一方のラインは、他方が上端または下端に到達するまでそこに留まる。ライン１１２、１１４の両方がディスプレイ１６の上端および下端に到達してもボタン１０８を押し続けると、今度は再びライン１１２、１１４は互いに近づいてその間隔を狭める。このようにライン１１２、１１４を任意の間隔に調節することができる。
【００３７】
以上のようにボタン１０６、１０８を操作することにより、操作者は、最終的には、ライン１１２、１１４を頭部１１１の頭の先と顎の先端に一致させることが可能である。言い換えれば、ボタン１０６、１０８は、領域表示手段として機能するライン１１２、１１４が仮表示する領域１１６を変更する領域変更手段として機能する。
【００３８】
なお、本実施例では上下移動ボタン１０６とライン間隔調節ボタン１０８とを用意したが、ライン１１２、１１４をそれぞれ個別に上下方向に移動させることができるボタンを用意してもよい。例えば２つのボタンを用意してそれぞれライン１１２、１１４に割り当ててよい。その場合、ライン１１２に割り当てられた一方のボタンを押し続けると、ライン１１２は上下いずれかの方向に移動し、ディスプレイ１６の上端または下端に到達すると、折り返して反対方向に移動することとすればよい。ライン１１４も他方のボタンによって同様に操作可能とすればよい。
【００３９】
さらに、ライン１１２を上に移動させるボタンと、同ライン１１２を下に移動させるボタンと、ライン１１４を上に移動させるボタンと、同ライン１１４を下に移動させるボタンと、合計４つのボタンを用意してもよい。
【００４０】
なお、本実施例ではライン１１２、１１４という２本のラインを用いて領域表示手段としているが、ラインの数は２本以上としてもよい。これにより、頭部１１１だけでなく、他の領域も表示することが可能である。
【００４１】
また、実質的に水平なライン１１２、１１４に代えて、実質的に長方形、円形または楕円形などの形状を有する閉曲線を用いてもよい。その場合、各ボタンは閉曲線を変形する機能と、閉曲線を実質的に上下左右方向に移動させる機能とを有することとすればよい。長方形は縦横の長さ、円形は半径の長さ、楕円形は長軸・短軸の長さをそれぞれ変更すれば、変形できる。これら閉曲線は回転可能としてもよい。また閉曲線は長方形等でなく、フリーハンドで自由に描くことができるようにしてもよい。これらの閉曲線を変形・移動させる機能を各ボタンに与え、適切なメッセージを表示すれば、操作者は所望の領域を指定できる。
【００４２】
上述のようにボタンの数や機能、または領域表示手段の種類を変更することによって、図１に示すメッセージ１１８、１２０の内容、およびメッセージを表示させる位置は自由に変更してよい。携帯電話機１０の操作者が分かりやすい案内メッセージを自由に表示させてよい。
【００４３】
以上のようにライン１１２、１１４を調節する方法によれば、カメラ１２で自己を撮影する際に、手の短い人であっても、自己の頭部１１１の上下端にライン１１２、１１４を配置することができる。またライン１１２、１１４を調節する方法に加え、被写体である人物が前後に動いてライン１１２、１１４の間の領域１１６に頭部１１１を位置させてもよいことは言うまでもない。
【００４４】
最終的にライン１１２、１１４が頭部１１１の上下端に調節されると、シャッタレリーズボタン１０４が押されて撮像動作が実行されることとなる。シャッタレリーズボタン１０４は撮像を行なうためのボタンである。これを押すと、撮像信号９４が制御部９０に与えられ、制御部９０はデジタルカメラ１２に制御信号６６を与え、カメラ１２を撮像モードに切り換える。カメラ１２は制御信号６６に応じて撮像を実行する。具体的には、デジタルカメラ１２のデジタル信号処理部７６で処理されたデジタル画像信号は、ビデオスルーモード時にはビデオスルー信号７８として表示制御部８０に出力されていたところ、撮像モードに入ると、静止画像信号８２として記録メディア８４に出力される。記録メディア８４では制御部９０からの制御信号９６を受けて、静止画像信号をデジタル画像ファイルとして記録する。ここまでの撮像動作が終了すると、デジタルカメラ１２は自動的にビデオスルーモードに戻る。
【００４５】
本発明の実施例の特徴は、シャッタレリーズボタン１０４が押される前にライン表示ボタン１０３が押されていた場合には、記録メディア８４は、撮影された画像８２および仮表示された領域１１６を、対応させて記録するという点である。元来、ライン１１２、１１４をディスプレイに１６に表示させていたのは、制御部９０であり、制御部９０は仮表示されているライン１１２、１１４がどの高さにあるかを常に把握している。したがって、領域１１６は、撮像動作があった時に、ライン１１２、１１４によって指定された２つの高さ座標として、制御部９０から信号線９６を通して記録メディア８４に送信される。なおライン１１２、１１４に代えて閉曲線が用いられている場合には、その形状および位置が送信され、記録メディア８４に記録される。制御部９０は静止画像信号８２から画像ファイルを作成する際に、画像ファイルに一対一に関連させた座標ファイルとしてメディア８４に記録する。あるいは、高さ座標は独立した座標ファイルとしてではなく、画像ファイルのヘッダ部分に記録してもよい。
【００４６】
図９は本発明による写真撮影装置の実施例を構成するプリンタ１７０が設置されている無人店舗の外観図である。無人店舗１３０は街頭などの公共の場所に位置する無人の拠点として互いに距離をおいて複数設けてよい。無人店舗１３０にも写真撮影装置が設定されていて、従来から、証明写真の撮影は可能であった。しかし、本発明の実施例では、無人店舗１３０は専ら、無人店舗１３０に設置され携帯電話機１０に付属のデジタルカメラ１２で撮影された画像を証明写真としてプリントするプリンタ１７０を利用するための拠点として利用される。
【００４７】
図１０は図９に示す無人店舗１３０を実質的に鉛直方向に切断した断面図である。無人店舗１３０は全体的に直方体の筐体を有し、大きさは高さ１．８  ｍ、幅１．３  ｍ程度である。無人店舗１３０は幅７５ｃｍ程度の客室１３２を含み、利用者が無人店舗１３０にて写真撮影を行なう場合は、利用者１３４は客室１３２に設けられた椅子１３６に座って撮影を行う。
【００４８】
無人店舗１３０は客室１３２以外の部分が上段１３８、中段１４０、下段１４２に分かれていて、中段にはデジタルカメラ１４４およびコントローラ１４６が設置されている。コントローラ１４６はデジタルカメラ１４４の撮影を制御する役割を果たす。
【００４９】
上段１３８には照明装置１４８、ＣＲＴディスプレイ１５０およびスピーカ１６２が配置されている。ＣＲＴディスプレイ１５０はコントローラ１４６からのビデオ信号出力線１５２に接続されていて、コントローラ１４６から出力される動画像および静止画像を表示可能である。ディスプレイ１５０の表示画面１５４は下方向に向けられていて、その表示内容は、上段１３８と中段１４０との間の中空な境界面１５６を通して、中段１４０のハーフミラー１５８に投影される。なおディスプレイ１５０では、画像は左右反転させて表示される。ハーフミラー１５８で反射された特に文字等の表示内容をガラス窓１６０を通して利用者１３４が正常に判読可能とするためである。
【００５０】
照明装置１４８は撮影に十分な明るさを保つために客室１３２を照らす照明であり、スピーカ１６２は利用者１３４に対して操作指示を音声により伝える装置である。スピーカ１６２はコントローラ１４６からの音声信号線１６４に接続されている。
【００５１】
下段１４２には、操作装置１６６と、メディアリーダ１６８と、赤外線インタフェース１６９と、プリンタ１７０とが設けられている。操作装置１６６はコントローラ１４６に信号線１７２によって接続されていて、利用者１３４の操作に基づく信号をコントローラ１４６に出力する装置である。操作装置１６６は複数の押しボタン１７４を有する。押しボタン１７４は、例えば、それぞれ「ＯＫ」「ＮＧ」を表す２個のボタンと、ディスプレイ１５０に表示された内容を選択するための上下左右への移動を表す４個の矢印ボタンとからなる計６個のボタンを含む。これらのボタンは例えば、圧電素子によって電気信号に変換され、コントローラ１４６に出力される。
【００５２】
メディアリーダ１６８はコントローラ１４６に信号線１７６によって接続されていて、利用者１３４の持参した記録メディア８４の挿入口１７８を有し、挿入された媒体の内容、すなわち画像ファイルおよび座標ファイルを読み出し可能である。記録メディア８４は、既に述べたようにＳＤメモリカードなど各種のメディアとしてよいため、メディアリーダ１６８もこれらの記録メディアを読み込み可能なものとしてよい。メディアリーダ１６８によって読み込まれた画像ファイルおよび座標ファイルは、コントローラ１４６のワークメモリ１９８に記録される。
【００５３】
赤外線インタフェース１６９は、図６に示す携帯電話機１０側の赤外線インタフェース９８からの赤外線を利用した無線通信によって、画像ファイルおよび座標ファイルを受信する無線通信手段である。赤外線インタフェース１６９で受信された画像ファイルおよび座標ファイルも、通信線１７１を通じて、コントローラ１４６のワークメモリ１９８に記録される。
【００５４】
このような構成のため、携帯電話機１０に付属のデジタルカメラ１２は、撮影された画像および記録された領域１１６を、記録メディア８４を介してプリンタ１７０へ渡すことができる。あるいは、撮影された画像および記録された領域１１６を、無線通信方式、例えば赤外線方式によってプリンタ１７０に渡すこともできる。プリンタ１７０はコントローラ１４６からの出力線１８０に接続されていて、メディアリーダ１６８あるいは赤外線インタフェース１６９によって読み込まれ、コントローラ１４６に転送された画像を証明写真としてプリント可能だからである。
【００５５】
プリントの際、プリンタ１７０は、後述のＣＰＵ（Ｃｅｎｔｒａｌ  Ｐｒｏｃｅｓｓｉｎｇ  Ｕｎｉｔ  ）２００の指示により、１枚の印画紙に、複数枚の写真を縦横に自由にレイアウトしてプリント可能である。プリントされた写真は、排出口１８２から排出される。プリンタ１７０は熱転写式、インクジェット式、レーザ式のいずれでもよい。
【００５６】
図１０では図示の便宜上、無人店舗１３０の上段１３８、中段１４０および下段１４２の内部を可視化して示しているが、実際は、メディアリーダ１６８の挿入口１７８、操作装置１６６の押しボタン１７４およびプリンタ１７０の排出口１８２以外は、壁によって隠されていて、利用者１３４からは見えない。また、下段１４２は、実際は、装置１６６、１６８、１７０の他、料金投入口や返金口などの機構も備えているが、これらは図示を省略している。
【００５７】
図１１は図１０のデジタルカメラ１４４およびコントローラ１４６の機能ブロック図である。デジタルカメラ１４４の構成は、ここでは詳述しない。撮影自体は無人店舗１３０にあるカメラ１４４ではなく、携帯電話機１０に付属のデジタルカメラ１２によって行なわれるからである。
【００５８】
ＣＰＵ２００は、ワークメモリ１９８およびＤ／Ａ（Ｄｉｇｉｔａｌ／Ａｎａｌｏｇｕｅ）コンバータ２０４に接続され、これらのユニットを制御する。ＣＰＵ２００は、デジタル化されワークメモリ１９８に記録されたデジタル画像信号を入力端子１９９から取り込み、様々な画像処理を行って出力端子２０１から出力し、ワークメモリ１９８に再格納することが可能である。
【００５９】
ＣＰＵ２００は、デジタル静止画像を出力端子２０２から出力し、Ｄ／Ａコンバータ２０４によりＤ／Ａ変換を行ってビデオ出力部１９２に送ることができる。このとき、ビデオ出力部１９２を制御し、ビデオスルーされているアナログ動画像信号１９０に代えて、アナログ化された静止画像信号２０６を端子１９４から出力させることができる。これにより、撮影された静止画像を利用者に示すことができる。また、アナログ静止画像信号２０６および動画像信号１９０はカラーおよび白黒のいずれの形式でも出力することができる。
【００６０】
ＣＰＵ２００は、撮影画像を自由にレイアウトしてＣＲＴ１５０に表示させることができる。また、画像の出力とともに、ワークメモリ１９８に予め用意された複数の静止画像をコマ送りに表示して簡単なアニメーションをＣＲＴ１５０に表示させることもできる。さらに、ビデオ出力部１９２を介した自由なグラフィック出力が可能であり、利用者１３４に対するメッセージをＣＲＴ１５０に表示させることができる。
【００６１】
ＣＰＵ２００はスピーカ１６２にも接続されている。ＣＰＵ２００は静止画像信号２０２を出力すると同時に、予め用意された音声信号１６４をスピーカ１６２へ出力し、静止画像信号２０２に適合した操作指示を利用者１３４に対して音声で指示可能である。
【００６２】
ＣＰＵ２００はプリンタ１７０および操作装置１６６にも接続されている。メディアリーダ１６８からワークメモリ１９８を介してＣＰＵ２００に転送された静止画像は、プリント命令とともに出力線１８０を介してプリンタ１７０へ出力することにより、証明写真としてプリント可能である。また、ＣＰＵ２００は操作装置１６６からの操作命令１７２を受信し、利用者１３４の操作に従った処理を行う。
【００６３】
ＣＰＵ２００はさらに、ＲＯＭ（Ｒｅａｄ  Ｏｎｌｙ  Ｍｅｍｏｒｙ）２１０に信号線２１１、２１３によって接続されている。ＲＯＭ２１０は、不揮発性の記録装置であり、不揮発性である限り、磁気記憶方式または光記憶方式のいずれを用いてもよい。ＲＯＭ２１０は複数の画像処理プログラム２１２、２１４と、証明写真の要求仕様２１６とを記録する。要求仕様２１６は、通常、ビザ用、パスポート用などの異なるものが複数記録されていて、その一例は図１２に示す要求仕様である。図１２に示すように、要求仕様２１６は、少なくとも、プリントすべき写真のサイズおよび当該写真における頭部の大きさおよび位置に関する情報を含む。
【００６４】
ＣＰＵ２００は、信号線２１１を通してＲＯＭ２１０にアクセスし、プログラム２１２、２１４と利用者が所望する写真の要求仕様２１６とを、信号線２１３を通して適宜読み込み、ワークメモリ１９８から高さ座標とともに取り込んだデジタル静止画像信号１９９に対して、要求仕様２１６に適合した写真を作成するための画像処理を行う。以下、各画像処理プログラム２１２、２１４の機能を説明する。
【００６５】
トリミングプログラム２１２は、利用者の頭部１１１が位置する、２つの高さ座標の間の領域１１６を中央に含むトリミング画像２２０を、デジタル静止画像全体２２２から切り出す、すなわちトリミングするプログラムである。検出された利用者１３４の頭部１１１は頭頂部および顎部の座標により、その長さを算出可能である。ＣＰＵ２００は、トリミングプログラム２１２とともに読み込んだ要求仕様２１６の写真と相似形になるように、デジタル静止画像をトリミングする。そしてリサイズプログラム２１４は、トリミングされた画像を、要求仕様２１６が含む証明写真全体のサイズとなるよう、任意の倍率で変倍するプログラムである。
【００６６】
図１３はトリミングされた画像を示す。上述のように、トリミング画像２２０は、２つの高さ座標の間の領域に存在する頭部１１１を基準として、図１２の要求仕様通りの写真と相似形になる。なお本実施例の方法に限られず、トリミング方法は任意に設定可能である。
【００６７】
このようにトリミング・リサイズされた画像がＣＰＵ２００からプリンタ１７０へ出力される。したがってプリンタ１７０は、撮影された画像のうち、２つの高さ座標の間の領域１１６を、証明写真の要求仕様に適合するよう、印画紙２３０などの印刷媒体の所定の範囲にプリントすることができる。２つ以上の高さ座標がある場合は、任意の２つの高さ座標の間の領域をそれぞれ印刷媒体の所定の範囲にプリントすることもできる。また、ラインでなく閉曲線によって領域が表示される場合は、その閉曲線によって囲まれる領域を印刷媒体の所定の範囲にプリントすることもできる。図１４は印画紙２３０にレイアウトされてプリントされた証明写真を示す図である。なお、本発明は証明写真のプリントを目的としたものであるが、いわゆるプリクラのように、粘着性のあるシール紙にプリントしてもよい。
【００６８】
図１３に示したトリミング画像２２０は、領域１１６によって指定された頭部１１１を基準として、証明写真の使用に合わせて頭部１１１以外の上半身も含めて切り出したものである。しかし証明写真を作成するという目的にとらわれなければ、指定された領域だけをデジタル静止画像全体２２２から切り出して印刷媒体の所定の範囲にプリントしてもよい。特に、閉曲線を用いて領域を指定する場合は、当該領域だけを画像２２２から切り出して印刷媒体の所定の範囲にプリントしてもよい。
【００６９】
図１５は閉曲線として楕円形を用いて領域を指定した場合のトリミング画像を示す。自由なトリミングを行なうための長方形等の形状やその変形・移動機能は、あらかじめトリミングプログラム２１２に組み込んでおけばよい。同図のトリミング画像２４０は証明写真の要求仕様に従ったものではなく、操作者が自由に変形・移動させた楕円形によって仮表示した領域２４２を切り出すものである。図１６は図１５におけるトリミング画像を、印画紙の大きさ等に応じてリサイズプログラム２１４によってリサイズして印画紙２５０の所定の範囲にプリントしたものである。このように、本実施例によれば、画像から自由に領域を切り出して印刷媒体の所定の範囲にプリント可能である。
【００７０】
以上のような構成を有する本発明による写真撮影装置の実施例の動作を、以下、説明する。本文の動作説明においては図２に示す携帯電話機１０を用いるが、図３または図５に示す電話機２０または４０も、全く同様に動作する。
【００７１】
まず利用者は携帯電話機１０の電源をオンにし、デフォルトのビデオスルーモードとする。利用者はライン表示／ＯＫボタン１０３を押し、ディスプレイ１６に図１に示すような所定のライン１１２、１１４を表示させる。次に利用者はボタン１０６、１０８を操作し、ライン１１２、１１４を頭部１１１の頭の先と顎の先端に一致させる。一致させたら利用者はシャッタレリーズボタン１０４を押し、撮像動作を実行する。撮像モードに入ると、静止画像信号８２として記録メディア８４に出力される。このとき、記録メディア８４は、撮影された画像８２および仮表示された領域１１６を、対応させて記録する。すなわち、ライン１１２、１１４によって指定された２つの高さ座標は、画像ファイルに一対一に関連させた座標ファイルとしてメディア８４に記録される。あるいは、高さ座標は独立した座標ファイルとしてではなく、画像ファイルのヘッダ部分に記録してもよい。
【００７２】
撮影が終わると、利用者は街頭の無人店舗１３０へ赴き、証明写真のプリントを行なう。図１７は無人店舗１３０における利用者の操作フローチャートである。利用者１３４はステップＳ３００に示すように客室１３２に入室する。表示画面１５４には、図示しないものの、証明写真をこの場で撮影するか、あるいは既に撮影された画像を証明写真としてこの場でプリントするか、いずれかを選択させるメッセージが表示されている。利用者１３４はハーフミラー１５８を介してこのメッセージを見、ステップＳ３０２に示すように、所定の押しボタン１７４を押して後者の「プリント」を選択する。利用者１３４は続いて表示画面１５４の料金投入を促すメッセージに従い、ステップＳ３０４に示すように料金を投入する。
【００７３】
すると表示画面１５４にはデータ送信を促すメッセージが表示される。例えば「記録メディアを挿入するか、携帯電話機を所定の場所に近づけてください」などのメッセージを表示させればよい。利用者１３４は記録メディア８４をメディアリーダ１６８の挿入口１７８に挿入するか、あるいは携帯電話機１０の赤外線インタフェース９８を無人店舗１３０の赤外線インタフェース１６９に近づけ、ステップＳ３０６に示すデータ送信を行なう。
【００７４】
無人店舗１３０のメディアリーダ１６８または赤外線インタフェース１６９から読み込まれた画像ファイルおよび座標ファイルは、コントローラ１４６に送られ、表示画面１５４に表示される。これは図１に示すのと同様に、顔画像にライン１１２、１１４を加えて表示すればよい。利用者１３４はこの顔画像を確認し、プリントしてよいか否かを判断する。プリントするのが望ましくなければキャンセルすればよい。プリントしてよいと判断すれば、ステップＳ３０８に示すように、画像を確認した旨の操作を押しボタン１７４によって行なう。
【００７５】
これにより、ステップＳ３１０に示すように、コントローラ１４６からプリント命令１８０を受けたプリンタ１７０は印画紙２３０に証明写真をプリントする。
【００７６】
以上、証明写真をプリントする動作を説明したが、証明写真にとらわれず、撮影した画像から自由に領域を切り出して印画紙にプリントする場合の動作も、基本的に同様である。
【００７７】
【発明の効果】
このように本発明によれば、携帯電話機に付属のデジタルカメラのような、携帯型撮影手段によって撮影した画像ファイルから、証明写真の要求仕様に適合する写真をプリントすることができる。また、頭部の位置を指定する際は、実質的に水平なラインを上下させるため、手の短い人にも適切に頭部を指定することができる。さらに、プリントする手段として街頭の無人店舗を利用しているため、２４時間、所望の時刻にプリントすることができる。
【００７８】
本発明によれば、証明写真に限らず、携帯型撮影手段によって撮影した画像ファイルから、自由に領域を切り出して印刷媒体の所望の範囲にプリントすることもできる。
【図面の簡単な説明】
【図１】本発明の実施例を構成する携帯電話機に付属のデジタルカメラで撮影される顔画像のうち、頭部を指定するラインをディスプレイに表示させた図である。
【図２】本発明の実施例を構成する携帯電話機の第１の例を示す外観図である。
【図３】本発明の実施例を構成する携帯電話機の第２の例を示す外観図である。
【図４】図３に示す携帯電話機の上部筐体を傾かせた状態にした斜視図である。
【図５】本発明の実施例を構成する携帯電話機の第３の例を示す外観図である。
【図６】図２ないし図５に示した携帯電話機に共通のブロック図である。
【図７】図６に示すデジタルカメラの詳細なブロック図である。
【図８】図６に示す操作部の機能ブロック図である。
【図９】本発明の実施例を構成するプリンタが設置されている無人店舗の外観図である。
【図１０】図９に示す無人店舗を実質的に鉛直方向に切断した断面図である。
【図１１】図１０に示すデジタルカメラおよびコントローラの機能ブロック図である。
【図１２】証明写真の要求仕様の一例を示す図である。
【図１３】図１１に示すトリミングプログラムによってトリミングされた画像を示す図である。
【図１４】図１０に示すプリンタにより印画紙にプリントされた証明写真を示す図である。
【図１５】閉曲線を用いて領域を指定した場合のトリミングされた画像を示す図である。
【図１６】図１５に示すトリミング画像を印画紙にプリントした図である。
【図１７】図９に示す無人店舗における利用者の操作フローチャートである。
【符号の説明】
１０、２０、４０  携帯電話機
１２、２４、３６  デジタルカメラ
１６、２６  ディスプレイ
４８  サブディスプレイ
８４  記録メディア
９８  赤外線インタフェース
１１２、１１４  ライン
【図１】
2005031235.tif 000003
【図２】
2005031235.tif 000004
【図３】
2005031235.tif 000005
【図４】
2005031235.tif 000006
【図５】
2005031235.tif 000007
【図６】
2005031235.tif 000008
【図７】
2005031235.tif 000009
【図８】
2005031235.tif 000010
【図９】
2005031235.tif 000011
【図１０】
2005031235.tif 000012
【図１１】
2005031235.tif 000013
【図１２】
2005031235.tif 000014
【図１３】
2005031235.tif 000015
【図１４】
2005031235.tif 000016
【図１５】
2005031235.tif 000017
【図１６】
2005031235.tif 000018
【図１７】
2005031235.tif 000019